(57)【要約】【課題】  キャビネットが、背面板と、その前側を覆うカバーとに分離可能な構造であって、カバーの取り外し操作が簡単確実で部材の破損のおそれがなく、しかも美観を損なうことのない空気調和機を提供することを目的とする。【解決手段】  キャビネット３が、背面板９と、背面板９の前側を覆うカバー１０とに分離可能とされ、背面板９及びカバー１０のいずれか一方の部材の上部に、他方の部材に対して内面側から係合する係合爪８０が形成され、係合爪８０は、他方の部材に向かって突出する腕部８１と、腕部８１に形成された爪部８３と、腕部８１を手指で押圧可能な押圧部８２とを有し、他方の部材に、爪部８３が係合する爪受部と、押圧部８２を露出させる開口８４とが設けられ、開口８４から押圧部８２を手指で押圧することにより、係合爪８０を爪受部から離脱させるようにした構成とする。【選択図】        図６
2011064353.tif 000002
【特許請求の範囲】
【請求項１】
キャビネットが、背面板と、背面板の前側を覆うカバーとに分離可能とされ、前記背面板及び前記カバーのいずれか一方の部材の上部に、他方の部材に対して内面側から係合する係合爪が形成され、前記係合爪は、他方の部材に向かって突出する腕部と、前記腕部に形成された爪部と、前記腕部を手指で押圧可能な押圧部とを有し、前記他方の部材に、前記爪部が係合する爪受部と、前記押圧部を露出させる開口とが設けられ、前記開口から前記押圧部を手指で押圧することにより、係合爪を爪受部から離脱させるようにしたことを特徴とする空気調和機。
【請求項２】
前記背面板に前記係合爪が形成され、前記カバーに前記爪受部及び開口が形成されたことを特徴とする請求項１記載の空気調和機。
【請求項３】
前記押圧部の周縁部に段差部が形成され、前記段差部が前記爪部とされ、前記開口が前記爪受部とされたことを特徴とする請求項１又は２記載の空気調和機。
【請求項４】
前記押圧部が前記腕部の先端側に形成され、前記腕部は、基端側ほど幅が広くなるように形成されたことを特徴とする請求項３記載の空気調和機。
【請求項５】
前記背面板及び前記カバーのいずれか一方の部材の下部に係止ピンが形成され、他方の部材に前記係止ピンを係止する係止孔が形成されたことを特徴とする請求項１〜４のいずれかに記載の空気調和機。
【発明の詳細な説明】
【技術分野】
【０００１】
本発明は、キャビネットが、背面板と、その前側を覆うカバーとに分離可能な構造を有する空気調和機に関するものである。
【背景技術】
【０００２】
従来、背面板と、その前側を覆うカバーとに分離可能なキャビネットを有する空気調和機として、例えば、特許文献１に示す構造のものが知られている。上記空気調和機においては、外箱（背面板）と、前パネル（カバー）とを係脱自在とするために、外箱から前方に突出する前パネル係合片係止用の係止爪を設け、前パネルの後部縁に、外箱に向かって係止爪の支持腕を弾性変形させるための押付片を配設している。
【０００３】
上記構成において、前パネルを外箱から取り外す場合には、前パネルの下方を手前に持ち上げることにより、前パネルの押付片が係止爪の支持腕を押し下げ、係止爪が係合片より下がって係合が外れるようになっている。
【先行技術文献】
【特許文献】
【０００４】
【特許文献１】特開平６−２２１６０８号公報
【発明の概要】
【発明が解決しようとする課題】
【０００５】
上記構成の空気調和機では、前パネルを手前に持ち上げる際、前パネルの縁部が支点となって、押付片に力が作用する。しかしながら、上記構成においては、前パネルを持ち上げる力点から支点までの距離に比べて、支点から押付片（作用点）までの距離が極端に短い。従って、上記構造に不案内な使用者が前パネルを持ち上げる場合、少しの力の感覚でも押付片に作用する力は非常に大きなものとなる。また、前パネルを外箱から外す際に、いきなり前パネルが外れると、押付片に一気に力がかかることになる。これらのような場合には、押付片が容易に破損するというおそれがあった。
【０００６】
そこで、本発明においては、上記に鑑み、キャビネットが、背面板と、その前側を覆うカバーとに分離可能な構造であって、カバーの取り外し操作が簡単確実で部材の破損のおそれがなく、しかも美観を損なうことのない空気調和機を提供することを目的とする。
【課題を解決するための手段】
【０００７】
上記目的を達成するため、本発明に係る空気調和機は、キャビネットが、背面板と、背面板の前側を覆うカバーとに分離可能とされ、前記背面板及び前記カバーのいずれか一方の部材の上部に、他方の部材に対して内面側から係合する係合爪が形成され、前記係合爪は、他方の部材に向かって突出する腕部と、前記腕部に形成された爪部と、前記腕部を手指で押圧可能な押圧部とを有し、前記他方の部材に、前記爪部が係合する爪受部と、前記押圧部を露出させる開口とが設けられ、前記開口から前記押圧部を手指で押圧することにより、係合爪を爪受部から離脱させるようにしたことを特徴とする。
【０００８】
上記構成によれば、係合爪に手指で押圧可能な大きさの押圧部を設けたため、係合爪の係合の解除を容易かつ確実に行うことが可能となる。しかも、使用者の手で直接押圧部を押圧操作するため、係合爪に過大な力が加わって破損するおそれもない。係合爪は、背面板又はカバーと同じ材質の樹脂から形成することができる。この場合、腕部の厚み、幅及び長さを調整することによりカバーを支えるだけの剛性を備えつつ、弾性変形可能な係合爪を得ることが可能となる。これにより、係合爪の素材の弾性を利用して腕部を弾性変形させ、爪受部に対して爪部を係脱自在とすることができる。
【０００９】
押圧部は、キャビネットの天面に臨むように形成するのが望ましい。すなわち、空気調和機は、通常、室内の天井近くに設置される。したがって、押圧部をキャビネットの天面に臨むように形成すれば、通常の使用者の目線からは開口及び押圧部が視認されることはなく、これによって美観を損なうおそれもない。
【００１０】
また、空気調和機はキャビネットの天面に空気の吸込口が形成されるため、必ず天井から所定の間隔をあけて設置される。本発明では、このように天井と空気調和機との間に設けられるわずかな隙間から手を差し入れ、手探りで開口を探り出して押圧部を押圧することが可能となり、開口を視認できなくとも係合爪の係合の解除を容易かつ確実に行うことができる。
【００１１】
係合爪は、背面板及びカバーのいずれに設けてもよいが、背面板に係合爪を形成し、カバーに爪受部及び開口を形成した方が、押圧部の位置がキャビネットの前面に近くなり、押圧部の押圧操作がしやすい点で好ましい。
【００１２】
係合爪の爪部と押圧部とは腕部上において、それぞれ別の位置に形成することも可能であるが、一体として形成できれば構造を簡単にすることができる点で好ましい。そこで、本発明においては、押圧部の周縁部に段差部が形成され、段差部が爪部とされ、開口が爪受部とされた構成を採用可能とした。
【００１３】
また、係合爪は、爪部を兼ねた押圧部を腕部の先端側に形成し、腕部の幅が基端側ほど広くなるように形成するのが好ましい。すなわち、係合爪には、カバーの荷重がかかるため、その荷重を支えるだけの剛性が必要とされる。その一方で、結合爪は、押圧部を押圧することで腕部が容易に弾性変形だけの可撓性が要求される。そこで、押圧部が形成された腕部先端側の幅を狭くし、腕部の幅が基端側ほど広くなるように形成することで、結合爪全体としての剛性と、押圧部の可撓性とをバランスよく両立させることができる。
【００１４】
本発明の空気調和機においては、背面板及びカバーのいずれか一方の部材の下部に、他方の部材に向かって突出する係止ピンが形成され、他方の部材に前記係止ピンを係止する係止孔が形成された構成とするのが好ましい。
【００１５】
上記構成によれば、係合爪と係止ピンとにより、係合爪を爪受部から離脱させただけでカバーが背面板から脱落するのを確実に防止することが可能となる。すなわち、係合爪の係合を解除した状態では、まだ係止ピンが係止孔に係止された状態であるため、カバーが脱落することはない。カバーを取り外すには、係合爪の係合を解除した状態から、さらにカバーを前方に意識的に引き出す動作が必要となり、これにより不測の事故を防止することができる。
【発明の効果】
【００１６】
以上のとおり、本発明によると、背面板及びカバーのいずれか一方の部材の上部に、他方の部材に対して内面側から係合する爪部を有する係合爪を形成し、爪部の係合を解除するために、手指で押圧可能な押圧部を係合爪に形成したため、カバーの取り外し操作が簡単確実で部材の破損のおそれがなく、しかも美観を損なうことのない空気調和機を提供することが可能となる。
【図面の簡単な説明】
【００１７】
【図１】本発明の実施形態を示す空気調和機の室内機の斜視図
【図２】図１の室内機を別の角度からみた斜視図
【図３】図２におけるＡ−Ａ断面図
【図４】上記室内機の分解斜視図
【図５】図１の室内機をさらに別の角度からみた斜視図
【図６】結合爪８０を示す上方斜視図
【図７】係合爪とカバーとの係合状態を示す一部拡大断面図
【図８】開口に押圧部を案内する案内リブを形成したカバーを示す上方斜視図
【発明を実施するための形態】
【００１８】
以下、図面に基づいて本発明の実施の形態を説明する。図１は、空気調和機の室内機を下方から見た外観斜視図であり、図２は図１の室内機を上方から見た外観斜視図を、図３は図２における室内機のＡ−Ａ断面図を、図４は室内機の分解斜視図を、図５は図２とは別の角度から見た室内機の外観斜視図をそれぞれ示す。
【００１９】
図１〜図３及び図５に示すように、室内機は、熱交換器１及びファン２を備え、これらがキャビネット３に内装されている。キャビネット３の天面に吸込口４が形成され、キャビネット３の前面下部に吹出口５が形成される。キャビネット３の内部には、吸込口４から吹出口５に至る空気通路６が形成されており、この空気通路６に熱交換器１とファン２とが配設される。
【００２０】
吸込口４と熱交換器１との間にはフィルタ７が配され、吸込口４から吸い込んだ室内の空気から塵埃を除去する。吹出口５の前面には横ルーバ８が回動自在に取り付けられており、吹出口５から吹き出す風の向きを上下方向に変更可能とされている。横ルーバ８の上流側に、縦ルーバ１５が設けられる。縦ルーバ１５は左右方向に回動する。縦ルーバ１５により、左右方向の風向きが変えられる。
【００２１】
空気調和機では、室内機に対して図示しない室外機が室外に設置されている。室外機には、圧縮機、熱交換器、四方弁、室外ファン等が内装され、これらと室内側の熱交換器１とによって冷凍サイクルが形成される。そして、冷凍サイクルを制御する制御装置が室内機に設けられる。マイコンからなる制御装置は、ユーザの指示及び室外や外気温を検出する温度センサ等の各種のセンサの検出信号に基づいて、冷凍サイクルを制御し、冷暖房運転を行う。このとき、制御装置は、冷暖房運転に応じて、ファンモータの駆動及び横ルーバ８の開閉を制御する。
【００２２】
図４に示すように、キャビネット３は、ベースとなる背面板９、右カバー１０、左カバー１１および前面パネル１２に分解可能とされており、キャビネット３の天面にはこれらの部材に囲まれた、左右方向に長い開口が形成される。この開口の左右方向中央にはフィルタガイド部材１３が取り付けられる。
【００２３】
これにより、上記開口は左右に２分割され、吸込口４，４が左右一対形成される。吸込口４，４ごとにフィルタ７，７が配される。なお、フィルタガイド部材１３を用いずに１つの吸込口を１枚のフィルタで覆うようにしてもよいし、複数のフィルタガイド部材１３を用いて３以上の吸込口に分割することも可能である。フィルタ７は、移動経路１９内において移動可能に保持される。
【００２４】
移動経路１９は、フィルタ７の左右両側部を保持する左右一対の保持レール２１，２２によって構成される。保持レール２１は、フィルタガイド部材１３の両側部に形成されており、保持レール２２は、吸込口４に臨む右カバー１０及び左カバー１１それぞれの縁部に沿って形成されている。
【００２５】
前面パネル１２は上部に形成された図示しない回転軸を中心に開閉自在に回動するように設けられる。吸込口４には、吸込口４全体を覆う吸込グリルは形成されておらず、吸込口４は開口のままとされる。なお、吸込口４の前側部分には吸込口４を目隠しするための前グリル１４が着脱自在に取り付けられる。これにより、吸込口４の開口は、使用者からは前グリル１４に遮られて視認されず、美観を損なうことがない。
【００２６】
本実施形態では、キャビネット３が組み立て式であることから、キャビネット３内に収容される熱交換器１やファン２は、背面板９の内面の左右に形成された支持部４０及び４１を介して背面版９に取り付けられる。なお、横ルーバ８及び縦ルーバ１５は、ルーバユニット１７に組み込まれ、ルーバユニット１７が支持部４０及び４１を介して背面板９に取り付けられている。
【００２７】
背面板９は、支持部４０及び４１が形成された背面板本体９１と、その周囲に形成された枠部９２とから構成される。枠部９２は、背面板本体９１から前方に向けて形成されており、枠部９２と左右カバー１１及び１０が接合することにより、キャビネット３の天面及び左右側面が形成される。
【００２８】
枠部９２のうち、背面板本体９１の上部には上枠部９２ａが形成される。上枠部９２ａの左右方向中央には吸込口４，４を構成する切込部が大きく形成されており、その左右両側にそれぞれ係合爪８０が形成される。
【００２９】
図６は、上枠部９２ａの左右方向の右端部に形成された結合爪８０を示す上方斜視図であり、図７は、係合爪とカバーとの係合状態を示す一部拡大断面図である。図６に示すように、結合爪８０は、板片状の腕部８１と、腕部８１の先端部上面に形成される押圧部８２とを備えている。
【００３０】
腕部８１は、基端側が上枠部９２ａの端面に接続され、先端側が前方に向かって突出するように形成されている。すなわち、係合爪８０は、腕部８１の基端で片持ち支持されており、押圧部８２に力を加えることによって弾性変形して自由に上下動するようになっている。腕部８１は、押圧部８２よりも後方では、基端に近づくほど幅が広くなるように形成されている。押圧部８２は、腕部８１の先端部に段差をもって形成される。そして、押圧部８２の周縁部に形成された段差部が爪部８３とされる。押圧部８２の大きさは、少なくとも人差し指の腹や中指の腹で押せる大きさであることが望ましい。押圧部８２を大きくすることで、壁面の上部に備え付けられている室内機のキャピネットの天面が見えなくても、手探りで押圧部８２を発見しやすくなる。
【００３１】
図６及び図７において、結合爪８０は、右カバー１０と係合する。図７に示すように、背面板９の枠部９２と、右カバー１０とを端面を合せるようにして接合させた状態では、係合爪８０は、右カバー１０の内面に沿う形となる。右カバー１０において、結合爪８０の押圧部８２に対応する位置には、押圧部８２が係合可能な開口８４が形成されており、この開口８４が爪部８３の爪受部として機能する。したがって、背面板９の枠部９２と、右カバー１０とを接合させた状態では、係合爪８０の爪部８３が右カバー１０の内面側から開口８４に係合する。
【００３２】
右カバー１０の下部において、右隅部には背面板側（後方）に突出する係止ピン８５が形成されている。背面板本体９１の下部には、下枠部９２ｂが形成される。下枠部９２ｂの左右方向の隅部には、係止ピン８５を係止する係止孔８６が形成されている。従って、背面板９の枠部９２と、右カバー１０とを接合させた状態では、係止ピン８５が、係止孔８６に係止される。
【００３３】
以上、背面板９と、右カバー１０との係合について説明したが、左カバー１１についても、開口８４及び係止ピン８５が形成されており、また、上枠部９２ａの左端部には係合爪８０が形成され、下枠部９２ｂの左隅部には係止孔８６が形成されている。これによって、左カバー１１も右カバー１０と同様にして背面板９に係合可能とされている。
【００３４】
上記構成の空気調和機において、メンテナンス等により、左右カバー１１及び１０を取り外す場合には、先ず、左右パネルに対して着脱自在に設けられている前面パネル１２を取り外す。次に、手をキャビネット３の天面と天井との間の隙間に差し入れ、手をキャビネット天面に当てたまま、奥の方向に手を滑らせる。
【００３５】
左右カバー１１及び１０の天面に形成された開口８４に手が触れたら、開口８４の中の押圧部８２を押圧する。これにより、押圧部８２が下がり、爪部８３が爪受部である開口から外れる。なお、爪部８３が開口８４から外れた状態では、まだカバー１１及び１０は結合爪８０及び係止ピン８５によって支持されているため、落下するおそれはない。
【００３６】
爪部８３が開口８４から外れた状態で、左右カバー１１及び１０を前方に引き出すことにより、安全に左右カバー１１及び１０を背面板９から取り外すことができる。なお、左右カバー１１及び１０を背面板９に取り付ける場合は、結合爪８０の押圧部８２を少し押し下げた状態にして、左右カバー１１及び１０の端面を、背面板９の枠部９２の端面に接合させるようにしてまっすぐ後方に押し入れればよい。
【００３７】
なお、図６に示すように、左右カバー１１及び１０の端面と、背面板９の枠部９２の端面とはまっすぐな直線状ではなく、凹凸形状とされる。これにより、両者が接合したときに、両者の端部が噛み合ってキャビネット全体として強度が高くなるようにしている。
【００３８】
本実施形態では、係合爪８０として、押圧部８２と爪部８３とが一体的に形成されたものを用いたが、これに限らず、例えば、腕部上において爪部と押圧部とを別の位置にそれぞれ独立して形成するようにしてもよい。
また、上記実施形態の室内機では、カバーが左右カバー１１及び１０の２つに分割された態様について説明したが、これに限らず、例えば、上記実施形態における左右カバー１１及び１０と前面パネル１２とが一体化したような態様のカバー（前面カバー）を用い、キャビネットが背面板と前面カバーからなる室内機に適用することもできる。
【００３９】
また、係合爪８０を開口８４に導くための案内経路を左右カバー１１及び１０の内面に設けることも可能である。具体的には、図８に示すように、開口８４の左右に、右カバー１０の端面から開口８４に至る案内リブ８７，８７を立てて案内経路を設ける。この場合、左右の案内リブ８７，８７の幅は、カバー端面側を広めにして徐々に幅を小さくして、開口８４に導く経路とすれば、押圧部８２をスムーズに開口８４に係合させることが可能となる。左カバー１１についても図８と同様に案内リブ８７，８７を設ければよい。
【符号の説明】
【００４０】
１    熱交換器
２    ファン
３    キャビネット
４    吸込口
５    吹出口
６    空気通路
７    フィルタ
８    横ルーバ
９    背面板
９１  背面板本体
９２  枠部
１０    右カバー
１１    左カバー
１２    前面パネル
１３    フィルタガイド部材
１４    前グリル
１５    縦ルーバ
１７    ルーバユニット
１９    移動経路
２１    保持レール
２２    保持レール
４０    支持部
４１    支持部
８０    係合爪
８１    腕部
８２    押圧部
８３    爪部
８４    開口
８５    係止ピン
８６    係止孔
８７    案内リブ
【図１】
2011064353.tif 000003
【図２】
2011064353.tif 000004
【図３】
2011064353.tif 000005
【図４】
2011064353.tif 000006
【図５】
2011064353.tif 000007
【図６】
2011064353.tif 000008
【図７】
2011064353.tif 000009
【図８】
2011064353.tif 000010